(57)【要約】【課題】本発明は、内容物ケースが外部ケースの側面からスライド自在に挿脱されるコンパクト容器を提供する。【解決手段】本発明は、化粧材料及びパフを内蔵した内容物ケースと、上側に鏡が付着された蓋体とかなるコンパクト容器であって、化粧材料が収容され、両側面にガイド溝が形成された内容物ケースと、内部の両側壁面にガイド突起が形成され、内容物ケースがスライド自在に挿脱されるように一側の壁面が開放された外部ケースとからなり、前記内容物ケースを前記外部ケースの開放された一側に挿入して構成し、前記内容物ケースを前記外部ケースから引き出した後には、前記外部ケースを前記内容物ケースに対して一定の角度に立ち上げて固定・維持させることを特徴とする。【選択図】図１
2008515526.tif 000002
【特許請求の範囲】
【請求項１】
化粧材料及びパフを内蔵した内容物ケースと、上側に鏡が付着された蓋体とかなるコンパクト容器であって
化粧材料が収容され、両側面にガイド溝が形成された内容物ケースと、内部の両側壁面にガイド突起が形成され、内容物ケースがスライド自在に挿脱されるように一側の壁面が開放された外部ケースとからなり、
前記内容物ケースを前記外部ケースの開放された一側に挿入して構成し、
前記内容物ケースを前記外部ケースから引き出した後には、前記外部ケースを前記内容物ケースに対して一定の角度に立ち上げて固定・維持させることを特徴とする、内容物ケースがスライド自在に挿脱されるコンパクト容器。
【請求項２】
前記外部ケースは、上部ケースと下部ケースとを結合して構成され、
前記上部ケースは下面が開放状態に形成されており、前記下部ケースは上面が開放状態に形成されており、前記下部ケースを前記上部ケースの一側に挿入して前記上部ケースを構成し、
前記内容物ケースを前記上部ケースと下部ケースとが結合された外部ケースの一側に挿入して構成されることを特徴とする、請求項１に記載の内容物ケースがスライド自在に挿脱されるコンパクト容器。
【請求項３】
前記上部ケースの両側壁及び前記内容物ケースの両側壁に対応する係合溝及び係合具を各々形成し、
前記係合溝及び前記係合具の係合により、外部ケースが内容物ケースに対して立ち上げられて一定の角度に固定されることを特徴とする、請求項２に記載の内容物ケースがスライド自在に挿脱されるコンパクト容器。
【請求項４】
前記外部ケースは、上部ケース、下部ケース及び外枠体を結合して構成され、
前記上部ケースと前記下部ケースとを結合した後、“コ”字形の外枠体を前記上部ケース及び前記下部ケースの３面を囲むように結合することで、前記上部ケースを構成し、
前記内容物ケースは、前記上部ケース、下部ケース及び外枠体が結合されて構成された外部ケースの一側に挿入して構成されることを特徴とする、請求項１に記載の内容物ケースがスライド自在に挿脱されるコンパクト容器。
【請求項５】
前記上部ケースは、内部の両側面に上部ガイド溝を形成し、前記下部ケースは、内部の両側面に下部ガイド溝を形成し、
前記内容物ケースは、両側壁の後部に前記上部ガイド溝及び下部ガイド溝に挿入される上部ガイド突起及び下部ガイド突起を上下に各々形成することを特徴とする、請求項４に記載の内容物ケースがスライド自在に挿脱されるコンパクト容器。
【請求項６】
前記下部ガイド溝は、先端に上方に曲げられた回転部を形成し、前記下部ガイド突起が前記回転部を通過しながら、前記内容物ケースに対して前記外部ケースの誘導回転が可能になることで、前記外部ケースが前記内容物ケースに対して立ち上げられて固定されることを特徴とする、請求項５に記載の内容物ケースがスライド自在に挿脱されるコンパクト容器。
【請求項７】
前記回転部は、別途の固定突起が形成され、回転部の内側に収容された下部ガイド突起のガタつきを防止するように構成されることを特徴とする、請求項６に記載の内容物ケースがスライド自在に挿脱されるコンパクト容器。
【請求項８】
前記上部ケースの両側壁及び前記内容物ケースの両側壁に対応する係合具及び係合溝を各々形成して、
前記係合具及び前記係合溝の係合により、前記外部ケースが前記内容物ケースに対して立ち上げられて一定の角度に固定・維持されることを特徴とする、請求項４に記載の内容物ケースがスライド自在に挿脱されるコンパクト容器。
【請求項９】
前記コンパクト容器は、前記内容物ケースの両側壁面にガイド突起が形成され、前記外部ケースの両側壁面にガイド溝が形成されることを特徴とする、請求項１に記載の内容物ケースがスライド自在に挿脱されるコンパクト容器。
【請求項１０】
前記ガイド溝は、前記内容物ケースの長手方向に沿って形成され、その端部が上方に曲げられて前記外部ケースを所定の角度に載置させることを特徴とする、請求項１又は請求項９に記載の内容物ケースがスライド自在に挿脱されるコンパクト容器。
【請求項１１】
前記ガイド溝は、前記内容物ケースの長手方向に沿って一直線に形成されることを特徴とする、請求項１又は請求項９に記載の内容物ケースがスライド自在に挿脱されるコンパクト容器。
【請求項１２】
前記ガイド突起は、直六面体形状であることを特徴とする、請求項１又は請求項９に記載の内容物ケースがスライド自在に挿脱されるコンパクト容器。
【請求項１３】
両側にスライド補助片を有するスライド補助具が前記外部ケースの内側に挿着され、
前記内容物ケースが前記スライド補助具のスライド補助片にスライド自在に挿脱されることを特徴とする、請求項１に記載の内容物ケースがスライド自在に挿脱されるコンパクト容器。
【請求項１４】
前記スライド補助具の両側先端にガイド曲げ片を形成し、前記外部ケースの両側壁の下部にガイドレールを形成し、前記内容物ケースの両壁面の後部に形成されたガイド突起が前記ガイド曲げ片とガイドレールとの間に位置して、前記ガイド突起の上、下面がスライド自在に挿脱されることを特徴とする、請求項１３に記載の内容物ケースがスライド自在に挿脱されるコンパクト容器。
【請求項１５】
前記スライド補助具の両側スライド補助片に凹部を形成して、前記ガイド突起とスライド補助片との摩擦区間の位置に応じて摩擦力が可変されるように構成することを特徴とする、請求項１３に記載の内容物ケースがスライド自在に挿脱されるコンパクト容器。
【請求項１６】
前記外部ケース内の両壁面に上部ガイド溝及び下部ガイド溝を形成し、前記内容物ケースの両壁面の後部に上部ガイド突起及びその下に隣接してガイドローラを形成することで、前記上部ガイド突起は上部ガイド溝内に位置するように、前記ガイドローラは前記下部ガイド溝内に位置するように結合して構成することを特徴とする、請求項９に記載の内容物ケースがスライド自在に挿脱されるコンパクト容器。 
【請求項１７】
前記上部ガイド溝及び下部ガイド溝の先端に斜めの回転載置溝を形成し、前記上部ガイド突起及びガイドローラを前記回転載置溝に載置させることで、前記外部ケースが前記内容物ケースに対して立ち上げられて一定の角度に固定されるように構成することを特徴とする、請求項１６に記載の内容物ケースがスライド自在に挿脱されるコンパクト容器。
【請求項１８】
前記外部ケース内の入口部の下面及び前記内容物ケースの後側の下面に対応する係合溝及び係合具を各々形成して、前記係合溝及び前記係合具の係合により、前記外部ケースが前記内容物ケースに対して立ち上げられて一定の角度に固定されることを特徴とする、請求項１６に記載の内容物ケースがスライド自在に挿脱されるコンパクト容器。
【請求項１９】
前記内容物ケースの後側の下端に面取り部を形成することを特徴とする、請求項１、請求項２、請求項９、請求項１３及び請求項１６の何れか一つに記載の内容物ケースがスライド自在に挿脱されるコンパクト容器。
【請求項２０】
前記外部ケースは、外側の上面に鏡が付着されることを特徴とする、請求項１、請求項２、請求項４、請求項９、請求項１３及び請求項１６の何れか一つに記載の内容物ケースがスライド自在に挿脱されるコンパクト容器。
【発明の詳細な説明】
【技術分野】
【０００１】
本発明は、内容物ケースが外部ケースの側面からスライド自在に挿脱されるコンパクト容器に関し、特に、内容物ケースを外部ケースからスライドさせることにより引き出して容易に開閉し、別途の鏡を携帯する必要無しに外部ケースの上面に鏡を付着することで、コンパクトの蓋を開放しなくても化粧時に自身の顔を見ることができる。さらに、内容物ケースを外部ケースから引き出した後には、外部ケースを内容物ケースに対して所定の角度に立ち上げ、ユーザーが外部ケースの上面に付着された鏡を見ながら、容易に化粧できるコンパクト容器に関する。
【０００２】
また、内容物ケース及び外部ケースのスライド構造、ヒンジ構造及び展開角固定構造を改善することで、より安定的であり、便利且つ優れた使用性を持つコンパクト容器を提案し、主顧客層が女性である点を勘案して、引き出し式内容物ケースのスムーズな開閉使用性を提供することにより、経済的利益の創出効果を極大化させたコンパクト容器に関する。
【背景技術】
【０００３】
一般に、コンパクトやアイシャドーのようなコンパクト容器の蓋の内側には鏡が付着され、ユーザーが化粧したい場合には蓋を開けて鏡を見ながら化粧する。このとき、ユーザーは、片手にはコンパクト容器を持ち、片手はパフを用いて化粧する。しかしながら、ユーザーが単に鏡だけを使用したい場合には、コンパクト容器の内側に鏡があるため、コンパクト容器の蓋を開けて鏡を使用したり、或いは、別に小型鏡を携帯しなければならないという不便さがある。また、コンパクトやアイシャドーのようなコンパクト容器は、上下に分離されたケースの一側をヒンジ結合して、それぞれのケースの内側に鏡、化粧材料及びパフなどを内蔵するよう製造されている。ところが、このようなコンパクト容器は、現在まで同様な構造だけで製作されている。消費者の多様な欲求を満足させるために、多様な形態及びデザインを持つ製品が市販されているが、同様な構造内において単純に外部ケースの形態や色相などの限定的な変更によるものであるため、消費者は食傷気味になってしまう。
【発明の開示】
【発明が解決しようとする課題】
【０００４】
本発明は、前記問題点を解決するためになされたもので、その目的は、女性が別途の鏡を携帯する必要無なしにコンパクト容器の外部に鏡を付着することで、蓋を開けなくても自身の顔が見られる外部に鏡が付着されたコンパクト容器を提供することにある。
【０００５】
また、本発明の他の目的は、内容物ケースを外部ケースからスライドさせることにより引き出して容易に開閉し、外部ケースを内容物ケースに対して所定の角度に立ち上げ、内容物ケースと外部ケースとのスライド構造、ヒンジ構造及び展開角固定構造を改善することで、内容物ケースが外部ケース内においてガタつかずスムーズにスライド自在に挿脱され、引き出された内容物ケースに対して外部ケースが一定角度に立ち上げて固定されることで便利に化粧できる、内容物ケースがスライド自在に挿脱される構造を持つコンパクト容器を提供することにある。
【課題を解決するための手段】
【０００６】
前記目的を達成するために、本発明は、化粧材料が収容され、両側面にガイド溝が形成された内容物ケースと、外部に鏡が付着され、内部の両側壁面に前記ガイド溝と係合される所定の形状のガイド突起が具備され、内容物ケースが外部ケースからスライド自在に挿脱されるように一側の壁面が開放された構造の外部ケースとからなる。
【０００７】
また、本発明は、外部ケースからスライド自在に挿脱される内容物ケースの挿脱手段、引き出された内容物ケースの角度固定手段及び内容物ケースのリズミカル且つ軟らかい挿脱作用を可能にする摩擦手段などからなることを特徴とする
【発明の効果】
【０００８】
本発明によれば、内容物ケースがスライド自在に挿脱される構造を持つコンパクト容器は、コンパクト容器の外部に鏡を付着することで、別途の鏡を携帯する必要なしに常に自身の顔を見ながら化粧できる。また、化粧時には内容物ケースを外部ケースに対してスライドさせて容易に引き出すことで、使用し易く、外部ケースが内容物ケースに対して所定の角度に立ち上げられて固定されることで、ユーザーは外部ケースの上面に付着された鏡を見ながら化粧台を使用するように便利に化粧できる。
【０００９】
また、本発明によれば、ガイド溝又はガイドレールと、ガイド突起又はガイドローラとにより、内容物ケースがガタつかずスムーズにスライド自在に挿脱されることで、軟らかい使用感を持ち、内容物ケースの下端の面取り部及び固定装置に外部ケースが安定的に内容物ケースに対して所定の角度に立ち上げられて固定・維持されることで、安定的且つ便利に化粧できる。
【００１０】
本発明は、添付された図面を参照して説明されても、これに限定されず、後述する特許請求の範囲内において多様に変形及び修正が可能である。
【発明を実施するための最良の形態】
【００１１】
以下、添付図面に基づき、本発明の実施形態を詳細に説明する。
【００１２】
＜実施形態１＞
図１〜図７は、本発明の一実施形態によるコンパクト容器を示す。本発明は、化粧材料１１が収容され、両側面にガイド溝１２が形成され、後側の下端部に面取り部１３が形成された内容物ケース１０を含む。内容物ケース１０のガイド溝１２は、図２に示すように、内容物ケース１０の長手方向に沿って形成されるが、端部が上方に曲げられて外部ケース２０を所定の角度(例えば１０゜〜５０゜)に立ち上げられるようにする。
【００１３】
外部ケース２０の上面には鏡２１が付着され、内部の両側壁面にはガイド溝１２に係合される直六面体形状のガイド突起２２が形成される。外部ケース２０は、内容物ケース１０がスライド自在に挿脱されるように一側の壁面が開放され、残りの壁面は密閉されて化粧材料１１の乾燥を防止する。
【００１４】
このように形成された内容物ケース１０を外部ケース２０内に挿入して使用する。使用時には、図１及び図５に示すような状態から、片手で内容物ケース１０を持ち、片手で外部ケース２０を持って互いに引き出すと、図３及び図６に示すような状態になり、更に引き出すと図４及び図７に示すような状態になる。
【００１５】
より詳細に説明すれば、図１の状態から内容物ケース１０を外部ケース２０に対して引き出して図３に示すような状態になった場合、外部ケース２０のガイド突起２２が内容物ケース１０のガイド溝１２に係合されているため、内容物ケース１０は水平状態にスライドされる(図６参照)。以後、外部ケース２０を更に引き出すと、ガイド突起２２が内容物ケース１０のガイド溝１２の上方に曲げられた部位に沿って上昇することになるため、外部ケース２０は図４及び図７に示すように所定の角度に立ち上げられる。これにより、ユーザーは、化粧台を使用するように自身の顔を鏡２１に照らしながらパフ３０及び化粧材料１１を用いて化粧できる。
【００１６】
図４及び図７に示すように、外部ケース２０が内容物ケース１０に対して所定の角度に立ち上げられた状態で化粧が完了して閉じたい場合には、外部ケース２０と内容物ケース１０とを互いに押し込むと、前述した動作の逆動作として作動して、図１に示すように閉鎖状態になる。
【００１７】
ところで、図７に示すように、外部ケース２０が内容物ケース１０に対して所定の角度に立ち上げられた状態では、ガイド突起２２のそれぞれの周端部がガイド溝１２の上下側にそれぞれ係合されることで、ユーザーが外部ケース２０に外力(押下力)を加えない限り、外部ケース２０が自重によりスライドされて図６に示すような状態にならないようにするのが好ましい。このために、直六面体型のガイド突起２２の幅方向長さを内容物ケース１０のガイド溝１２の間隔と適切に形成するのが好ましく、図７及び図９に示すように、内容物ケース１０の後側下面の面取り部１３が外部ケース２０の内側下面に接触するようにするのが好ましい。
【００１８】
前述したように、図１〜図７に示す本発明の一実施形態は、女性が別途の鏡を携帯する必要なしにコンパクト容器の外部に付着された鏡２１を用いて常に自身の顔が見られる。また、化粧時には内容物ケース１０を外部ケース２０に対して互いにスライドさせて引き出すことで、外部ケース２０が内容物ケース１０に対して所定の角度に立ち上げられる。よって、ユーザーは、外部ケース２０の外部に付着された鏡２１を見ながら容易に化粧できる。
【００１９】
＜実施形態２＞
図８及び図９は、本発明の他の実施形態を示し、図１〜図７に示す一実施形態の直六面体のガイド突起２２の代りに円筒形のガイド突起２２２を使用したことを除いては、前述した実施形態と同様なので、これに対する詳細な説明は省略する。但し、内容物ケース１０を外部ケース２０からスライドにより引き出した後には、外部ケース２０を内容物ケース１０に対して所定の角度に立ち上げて容易に化粧できるようにする。
【００２０】
＜実施形態３＞
図１０は、本発明のさらに他の実施形態を示し、図１〜図７に示す実施形態１の直六面体のガイド突起２２の代りに円筒形のガイド突起２２２が使用され、内容物ケース１０の長手方向に沿ってガイド溝１２２が一直線に形成されたことを除いては、前述した実施形態と同様なので、これに対する詳細な説明は省略する。但し、本実施形態でも、前述した他の実施形態と同様に、内容物ケース１０を外部ケース２０からスライドにより引き出した後には、外部ケース２０を内容物ケース１０に対して所定の角度に立ち上げて容易に化粧できる。
【００２１】
図８〜図１０の他の実施形態は、内容物ケース１０を外部ケース２０からスライドにより引き出した後、外部ケース２０を内容物ケース１０に対して所定の角度に立ち上げる時、ガイド突起２２２とガイド溝１２、１２２との摩擦力を用いて所定の角度に固定・維持されるようにしたものである。ガイド突起２２２が摩耗したり外部ケース２０に小さな力でも加えられる場合、立ち上げられている外部ケース２０が倒れ易くなるため、鏡２１を見ながら化粧し難くなるという問題点が発生する。このような問題を解決するために、外部ケース２０の角度固定手段及び内容物ケース１０の挿脱手段などを改善した発明を、図１１の以後にさらに他の実施形態として提示する。
【００２２】
＜実施形態４＞
図１１〜図２０は、本発明のさらに他の実施形態を示し、上部面に鏡２１を有する外部ケース２０と、外部ケース２０内の一側にスライド自在に挿脱される内容物ケース１０とからなる。外部ケース２０は、上部ケース２０ａ及び下部ケース２０ｂからなる。上部ケース２０ａは、上面に鏡２１が付着され、下面が開放されている。下部ケース２０ｂは、上部ケース２０ａの一側から挿入されてその内部に位置し、その内部の一端の両側壁には突出形状のガイド突起２２２が形成され、上面が開放されている。
【００２３】
内容物ケース１０は、両側面にガイド溝１１２を形成し、後側下端に斜めの面取り部１３を形成し、上側に化粧材料１１が収容される中間ケース４０がヒンジ結合されて外部ケース２０の内側に挿入される。
【００２４】
ガイド突起２２２は、内容物ケース１０のガイド溝１１２内でスライドされる。内容物ケース１０を外部ケース２０から引き出し、外部ケース２０を立ち上げるときに一定の角度に立ち上げられるように、斜めの面取り部１３が外部ケース２０内の下面に当接して一定の角度に立ち上げられるようにする。一旦立ち上げられた外部ケース２０が固定されるように、外部ケース２０の上部ケース２０ａの入口部に係合溝２３を形成し、これに係合されるように内容物ケース１０の後面上側に係合具１４を形成する。よって、係合具１４が係合溝２３に係合されて立ち上げられた外部ケース２０は、一定の角度に固定される。
【００２５】
前述した本発明の一実施形態のコンパクト容器の作用を、添付図面に基づいて詳細に説明する。
【００２６】
本発明によるコンパクト容器の一実施形態は、図１５〜図１８に示すように、上部ケース２０ａと下部ケース２０ｂとが上下に結合されて外部ケース２０を構成し、内容物ケース１０がその内部空間内にスライド自在に挿脱されるもので、上部ケース２０ａの内側面に下部ケース２０ｂの外側面が受けられることになる。
【００２７】
すなわち、上部ケース２０ａの上面には鏡２１が形成され、コンパクト容器を開放したり別途の鏡を携帯したりしなくても、上面に形成された鏡２１を介して迅速且つ容易に鏡を使用できる。
【００２８】
上部ケース２０ａの一側から上側の開放された状態の下部ケース２０ｂを押し込んで組立てることで、上部ケース２０ａの内側に下部ケース２０ｂが収納される。下部ケース２０ｂの底面は、上部ケース２０ａの下側開放部を覆う役割を果たし、上部ケース２０ａの上面は、下部ケース２０ｂの上側開放部を覆う役割を果たす。つまり、上部ケース２０ａと下部ケース２０ｂとの相互結合により内部空間を持つ外部ケース２０が完成される。
【００２９】
このような内部空間には、内容物ケース１０がスライド自在に挿脱される。内容物ケース１０の両側面にはガイド溝１１２がスライド方向に沿って形成され、ガイド溝１１２に係合されるように外部ケース２０の下部ケース２０ｂの内側壁にガイド突起２２２が突設される。よって、内容物ケース１０は、ガイド突起２２２から上下にガタつかず、ガイド溝１１２に沿って前後方向にスライド自在に挿脱される。
【００３０】
前述したようにスライド構造により外部ケース２０から内容物ケース１０を引き出した後には、外部ケース２０を一定の角度に立ち上げて容易に化粧できる。このとき、図１９及び図２０に示すように、外部ケース２０を上側に回転させて立ち上げると、内容物ケース１０の後面下端に形成された回転部１３が外部ケース２０の下部ケース２０ｂの底面に当接することで、一定の角度で回転を停止させる。このとき、内容物ケース１０の係合具１４が上部ケース２０ａの係合溝２３に係合されることで、外部ケース２０と内容物ケース１０とが一定の角度に固定維持される。このような係合溝２３と係合具１４との係合作用は、回転された外部ケース２０の角度を固定すると共に、ユーザーにより回転された外部ケース２０が角度固定状態であることを認知できるようにする。
【００３１】
このような角度固定状態において、ユーザーは、内容物ケース１０の上側に形成された中間ケース４０を持ち上げ、その下部空間内に保管されたパフ３０を取り出して、中間ケース４０内の化粧材料１１を用いて化粧すれば良い。
【００３２】
＜実施形態５＞
図２１〜図３０は、本発明のさらに他の実施形態を示し、上面に鏡２１を有する外部ケース２０と、外部ケース２０内の一側にスライド自在に挿脱される内容物ケース１０とからなる。
【００３３】
外部ケース２０は、外枠体２０ｃにより上部ケース２０ｄと下部ケース２０ｅとが結合されて構成される。上部ケース２０ｄは、上面に鏡２１を設置し、その内部の両側面に上部ガイド溝２２３を形成する。下部ケース２０ｅは、その内部の両側面に下部ガイド溝２２４を形成する。外枠体２０ｃは“コ”字形の本体をなし、上部ケース２０ｄと下部ケース２０ｅとを堅固に上下結合させる。
【００３４】
内容物ケース１０は、上部ガイド溝２２３及び下部ガイド溝２２４内にスライド自在に挿入される上部ガイド突起１１３及び下部ガイド突起１１４を、両壁面の後部の上下に各々形成して構成される。
【００３５】
このとき、上部ガイド突起１１３及び下部ガイド突起１１４の両側縁には垂直方向に延びる切り欠き孔を形成して、上部ガイド突起１１３及び下部ガイド突起１１４が弾性力を持つようにする。よって、内容物ケース１０と上下部ケース２０ｄ、２０ｅとの間の組立性が容易になると共に、上部ガイド突起１１３及び下部ガイド突起１１４のスムーズな摩擦抵抗を提供できる。
【００３６】
下部ケース２０ｅの下部ガイド溝２２４の先端には上方に曲げられる回転部２２４ａを形成し、下部ガイド溝２２４内で下部ガイド突起１１４が回転しながら内容物ケース１０及び外部ケース２０を一定の角度に載置させる。このとき、回転部２２４ａに固定突起２２４ｂを形成して、回転部２２４ａの内側に位置した下部ガイド突起１１４のガタつきを防止する。
【００３７】
また、外部ケース２０を内容物ケース１０に対して一定の角度に立ち上げて固定維持させるために、上部ケース２０ｄの入口部の両側壁に係合具２４を形成し、これに対応する係合溝１５を内容物ケース１０の両側壁面に形成する。よって、係合具２４が係合溝１５に係合されて外部ケース２０と内容物ケース１０とを一定の角度に固定維持させる。
【００３８】
前述したように構成された本発明の一実施形態の作用を、添付図面に基づいてより詳細に説明する。
【００３９】
本発明によるコンパクト容器の一実施形態は、図２５〜図２８に示すように、上下に分離された上部ケース２０ｄと下部ケース２０ｅとを別途の外枠体２０ｃにより結合させて外部ケース２０を形成し、外部ケース２０の一側から内容物ケース１０がスライド自在に挿脱される構造からなる。
【００４０】
上部ケース２０ｄの内側壁面には上部ガイド溝２２３が形成され、下部ケース２０ｅの内側壁面には下部ガイド溝２２４が形成される。内容物ケース１０の両側端部に形成された上部ガイド突起１１３及び下部ガイド突起１１４が、上部ガイド溝２２３及び下部ガイド溝２２４に各々スライド自在に挿脱される。
【００４１】
下部ケース２０ｅ内の両側壁面に形成される下部ガイド溝２２４は、図２９及び図３０に示すように、その先端部に上方に曲げられる回転部２２４ａにより、外部ケース２０が内容物ケース１０に対して一定の角度に回転して立ち上げられる。内容物ケース１０の下部ガイド突起１１４は、回転部２２４ａの地点で上側方向に誘導されて、上部ガイド突起１１３を軸点として回転される。このような作用により、外部ケース２０が内容物ケース１０に対して一定の角度に回転されて立ち上げられることで、上部ケース２０ｄの上面に形成された鏡２１を介して容易に化粧できる。
【００４２】
前述したように、下部ガイド溝２２４の回転部２２４ａにより外部ケース２０が内容物ケース１０に対して回転すれば、回転部２２４ａ内に位置した下部ガイド突起１１４が回転部２２４ａ上に形成された固定突起２２４ｂにより逆方向に移動するのを防止することで、斜めの外部ケース２０の角度を維持できる。また、このような角度をより安定的に維持させるために、上部ケース２０ｄの先端の内側壁に係合具２４を形成し、内容物ケース１０が先端の両側壁に係合溝１５を形成して、係合具２４と係合溝１５との係合により安定的に外部ケース２０の角度を維持できる。
【００４３】
このような係合具２４及び係合溝１５は、外部ケース２０が内容物ケースに対して回転された状態で、上部ケース２０ｄと内容物ケース１０とが互いに対応する位置に各々形成される。これらの係合により外部ケース２０と内容物ケース１０との角度が維持される。このような係合具２４と係合溝１５との係合力は、ユーザーが十分認知できるため、外部ケース２０が角度固定状態であることが分かる。
【００４４】
内容物ケース１０の上側に形成された中間ケース４０の化粧材料１１を用いて化粧したい場合には、中間ケース４０の下部にパフ収納部が形成されているため、前述した中間ケース４０を開いてパフ３０を取り出し、中間ケース４０内の化粧材料１１を用いて化粧すれば良い。
【００４５】
化粧が終了した後、外部ケース２０を下方に押し込んで内容物ケース１０と一直線になった状態で、内容物ケース１０を外部ケース２０内にさらに押し込むと、携帯及び保管が可能な状態になる。
【００４６】
＜実施形態６＞
図３１〜図４１は、本発明のさらに他の実施形態を示し、上面に鏡２１を有する外部ケース２０と、外部ケース２０内の一側にスライド自在に挿脱される内容物ケース１０とからなる。
【００４７】
外部ケース２０と内容物ケース１０との間には、両側にスライド補助片５１を有する別途のスライド補助具５０を挿着することで、内容物ケース１０がスライド補助具５０に沿って挿脱される。
【００４８】
外部ケース２０は、上面に鏡２１を設置し、内側壁の下部両側にガイドレール２５を形成し、内側壁の端部にアンダーカット形状の係合溝２６を形成する。
【００４９】
内容物ケース１０は、端部の両側にガイド突起１１５を形成し、ガイド突起１１５の後側の下端に一定の角度の面取り部１３を形成する。内容物ケース１０の上部には化粧材料１１が内蔵された中間ケース４０をヒンジ結合し、中間ケース４０下の空間部にはパフ３０を保管する。
【００５０】
スライド補助具５０は、両側にスライド補助片５１を形成し、スライド補助片５１の先端にガイド曲げ片５２を形成する。スライド補助片５１の両側にはアンダーカット形状の係合具５３を突設し、スライド補助片５１の端部には仕上げ固定片５４を形成する。
【００５１】
前述したような構成による本発明のコンパクト容器の作用を、添付図面に基づいて詳細に説明する。
【００５２】
スライド補助具５０は、スライド補助片５１に形成された係合具５３と、これに対応して外部ケース２０の内側壁の端部に形成された係合溝２６とが、外部ケース２０とスライド補助具５０との組立時にアンダーカット結合により堅固に結合されることで、内容物ケース１０がスライド自在に挿脱される場合にも、外部ケース２０から分離又はガタつかない構造を持つ。
【００５３】
内容物ケース１０は、スライド補助具５０の内側からスライドされ、その外部の外部ケース２０の一側に挿脱される。内容物ケース１０の後側の両壁端部にはガイド突起１１５が突設される。ガイド突起１１５の上面はスライド補助具５０のガイド曲げ片５２の下部に接触し、ガイド突起１１５の下面は外部ケース２０の内側壁の下部に形成されたガイドレール２５に接地することで、ガイド突起１１５が上下にガタつかず、安定的にスライド自在に挿脱される。
【００５４】
このようなスライド自在に挿脱される構造により、ユーザーが内容物ケース１０を外部ケース２０から引き出すと、図３７に示すように、スライド補助具５０及びガイドレール２５により、安定的な支持状態で容易に引き出される。これを外部ケース２０の内側に更に挿入させると、図３６に示すような結合状態を持つことになる。
【００５５】
図３７に示すように、内容物ケース１０を外部ケース２０から引き出した状態で、ユーザーは、外部ケース２０を上部に回転させて立ち上げることで、より容易に化粧できる。ここで、引き出された内容物ケース１０を片手で把持し、片手で外部ケース２０を持ち上げると、図３８に示すように内容物ケース１０の端部に形成された面取り部１３により、外部ケース２０は斜め状態で停止することになる。すなわち、図４０に示すように、内容物ケース１０のガイド突起１１５を軸として内容物ケース１０が回転され、外部ケース２０のガイドレール２５が面取り部１３と当接すれば、外部ケース２０の回転が停止し、化粧するのに適当な傾斜角度に固定される。
【００５６】
外部ケース２０が斜めの角度に固定・維持される理由は、内容物ケース１０の面取り部１３及び内容物ケース１０の下面間の境界線に角が形成されて、内容物ケース１０の回転時に境界線の角がガイドレール２５を若干押しながら弾力的に回転して固定されることで、面取り部１３に固定力が発生するためである。よって、人為的に力を加えて外部ケース２０を押下する前には、外部ケース２０が内容物ケース１０に対して一定の斜めの角度に固定されることになる。
【００５７】
スライド補助具５０のスライド補助片５１には、曲率を持つ凹部５５を形成できる。凹部５５を形成すれば、スライド補助片５１に当接して移動するガイド突起１１５との摩擦力が、区間別に可変されるため、挿脱動作がリズミカルになる。すなわち、図４１に示すように、スライド補助片５１の下部の中間に形成された凹部５５は、内容物ケース１０がスライド補助具５０内へ完全に挿入された状態で最大の摩擦力が発生し、順次外側に引き出されながら摩擦力が漸進的に減少することで、引出しが容易になる。内容物ケース１０の半分が引き出されてから更に摩擦力が増加し、引出し作用の終了時点に更に摩擦力が最大になりながら、自然に内容物ケース１０の引出し動作が終了される。
【００５８】
このように、内容物ケース１０の挿脱区間別に摩擦力を可変させることで、コンパクト容器の主顧客層である女性の細心な手動作に適切であるように、軟らかくてリズミカルな挿脱作用がなされる。また、より優れた使用感を持つことで、高級なイメージを付与できる。
【００５９】
このようなスライド自在に挿脱される本発明のコンパクト容器は、図３４に示すように、内容物ケース１０が引き出された状態で、内容物ケース１０の上側に形成された中間ケース４０内の化粧材料１１を用いて化粧する。外部ケース２０の上面に設置された鏡２１を見ながら容易に化粧できる。また、内容物ケース１０の上側に回転自在に結合された中間ケース４０の下側の空間には、パフ３０を保管して使用できる。
【００６０】
＜実施形態７＞
図４２〜図４９は、本発明のさらに他の実施形態を示し、上面に鏡２１を有する外部ケース２０と、外部ケース２０内の一側にスライド自在に挿脱される内容物ケース１０とからなる。
【００６１】
本実施形態は、実施形態５と同様に、内容物ケース２０の内側壁の両側に各々２つずつガイド溝を有し、内容物ケース１０の両側端部に２つのガイド突起の代りに１つのガイド突起及び各々一対のガイドローラを有することを特徴とする。
【００６２】
外部ケース２０は、上面に鏡２１を設置し、内側壁の両側に各々上部ガイド溝２２３及び下部ガイド溝２２４を形成し、上部及び下部ガイド溝２２３、２２４の端部に回転載置溝２２５を形成し、外部ケース２０の入口部の底面に係合溝２７を形成する。
【００６３】
内容物ケース１０の両側端部には、上部ガイド突起１１３を突設し、その下に一対のガイドローラ１６を設置し、下面に外部ケース２０の係合溝２７と係合される係合具１７を形成し、下面端部に面取り部１３を形成する。
【００６４】
前述したような本発明のコンパクト容器の作用を、添付図面に基づいて詳細に説明する。
【００６５】
本発明は、内容物ケース１０が外部ケース２０からスムーズにスライド自在に挿脱されるように、ガイド溝、ガイド突起及びガイドローラを備えた。すなわち、外部ケース２０の内側の上部ガイド溝２２３には、内容物ケース１０の上部ガイド突起１１３が係合され、下部ガイド溝２２４には一対のガイドローラ１６が係合されてスライド自在に挿脱される。これにより、内容物ケース１０は、外部ケース２０内でガタつきなしに安定的にスライド自在に挿脱される。ガイドローラ１６は、摩擦抵抗を大きく減少させるので、軟らかくて簡易にスライド自在に挿脱される。
【００６６】
このような本発明の一実施形態でも、より容易に化粧できるように、外部ケース２０を内容物ケース１０に対して一定の角度に固定・維持させる。このような角度固定手段としては、内容物ケース１０の下段部の面取り部１３が、図４８に示すように外部ケース２０内の底面と当接し、内容物ケース１０の係合具１７が外部ケース２０の係合溝２７に係合されることで、固定される。
【産業上の利用可能性】
【００６７】
なお、本発明の詳細な説明では具体的な実施形態について説明したが、これに限定されず、本発明の要旨から逸脱しない範囲内で多様に変形・実施が可能である。
【図面の簡単な説明】
【００６８】
【図１】本発明の一実施形態によるコンパクト容器の斜視図である。
【図２】図１に示すコンパクト容器の分解斜視図である。
【図３】本発明によるコンパクト容器の使用状態図である。
【図４】本発明によるコンパクト容器の使用状態図である。
【図５】図１のＡ−Ａ線に沿う断面図である。
【図６】図３のＢ−Ｂ線に沿う断面図である。
【図７】図４のＣ−Ｃ線に沿う断面図である。
【図８】本発明の他の実施形態によるコンパクト容器の分解斜視図である。
【図９】図８に示すコンパクト容器の使用状態に従う断面図である。
【図１０】本発明のさらに他の実施形態によるコンパクト容器の使用状態に従う断面図である。
【図１１】本発明のさらに他の実施形態によるコンパクト容器の斜視図である。
【図１２】図１１に示すコンパクト容器の使用状態図である。
【図１３】図１１に示すコンパクト容器の使用状態図である。
【図１４】図１１に示すコンパクト容器の分解斜視図である。
【図１５】図１１のＤ−Ｄ線に沿う断面図である。
【図１６】図１５の展開状態に従う断面図である。
【図１７】図１２のＥ−Ｅ線に沿う断面図である。
【図１８】図１１のＦ−Ｆ線に沿う断面図である。
【図１９】図１１に示すコンパクト容器の角度固定部の作動図であって、内容物ケースの水平引出し状態の要部拡大断面図である。
【図２０】図１１に示すコンパクト容器の角度固定部の作動図であって、内容物ケースの回転による角度固定状態の拡大断面図である。
【図２１】本発明のさらに他の実施形態によるコンパクト容器の斜視図である。
【図２２】図２１に示すコンパクト容器の使用状態図である。
【図２３】図２１に示すコンパクト容器の使用状態図である。
【図２４】図２１に示すコンパクト容器の分解斜視図である。
【図２５】図２１のＧ−Ｇ線に沿う断面図である。
【図２６】図２５の展開状態に従う断面図である。
【図２７】図２２のＨ−Ｈ線に沿う断面図である。
【図２８】図２１のＩ−Ｉ線に沿う断面図である。
【図２９】図２１に示すコンパクト容器の角度固定部の作動図であって、内容物ケースの水平引出し状態の要部拡大断面図である。
【図３０】図１１に示すコンパクト容器の角度固定部の作動図であって、内容物ケースの回転による角度固定状態の拡大断面図である。
【図３１】本発明のさらに他の実施形態によるコンパクト容器の斜視図である。
【図３２】図３１に示すコンパクト容器の使用状態図である。
【図３３】図３１に示すコンパクト容器の使用状態図である。
【図３４】図３１に示すコンパクト容器の使用状態図である。
【図３５】図３１に示すコンパクト容器の分解斜視図である。
【図３６】図３１のＪ−Ｊ線に沿う断面図である。
【図３７】図３２のＫ−Ｋ線に沿う断面図である。
【図３８】図３３のＬ−Ｌ線に沿う断面図である。
【図３９】図３１のＭ−Ｍ線に沿う断面図である。
【図４０】図３１に示すコンパクト容器の角度固定部の作動図であって、内容物ケースの回転による角度固定状態の拡大断面図である。
【図４１】図３１に示すコンパクト容器のガイド突起とスライド補助片との摩擦作動図である。
【図４２】本発明のさらに他の実施形態によるコンパクト容器の斜視図である。
【図４３】図４２に示すコンパクト容器の使用状態図である。
【図４４】図４２に示すコンパクト容器の分離斜視図である。
【図４５】図４２に示すコンパクト容器の内容物ケースの底面斜視図である。
【図４６】図４２のＮ−Ｎ線に沿う断面図である。
【図４７】図４２の展開状態に従う断面図である。
【図４８】図４３のＯ−Ｏ線に沿う断面図である。
【図４９】図４２のＰ−Ｐ線に沿う断面図である。
【符号の説明】
【００６９】
１０  内容物ケース
１１  化粧材料
１２、１２２  ガイド溝
１３  面取り部
１４、１７、２４、５３  係合具
１５、２３、２６、２７  係合溝
１６  ガイドローラ
２０  外部ケース
２０ａ、２０ｄ  上部ケース
２０ｂ、２０e  下部ケース
２０ｃ  外枠体
２１  鏡
２２、１１５、２２２  ガイド突起
２５  ガイドレール
３０  パフ
４０  中間ケース
５０  スライド補助具
５１  スライド補助片
５２  ガイド曲げ片
５４  仕上げ固定片
５５  凹部
１１３  上部ガイド突起
１１４  下部ガイド突起
２２３  上部ガイド溝
２２４  下部ガイド溝
２２４ａ  回転部
２２４ｂ  固定突起
２２５  回転載置溝
【図１】
2008515526.tif 000003
【図２】
2008515526.tif 000004
【図３】
2008515526.tif 000005
【図４】
2008515526.tif 000006
【図５】
2008515526.tif 000007
【図６】
2008515526.tif 000008
【図７】
2008515526.tif 000009
【図８】
2008515526.tif 000010
【図９】
2008515526.tif 000011
【図１０】
2008515526.tif 000012
【図１１】
2008515526.tif 000013
【図１２】
2008515526.tif 000014
【図１３】
2008515526.tif 000015
【図１４】
2008515526.tif 000016
【図１５】
2008515526.tif 000017
【図１６】
2008515526.tif 000018
【図１７】
2008515526.tif 000019
【図１８】
2008515526.tif 000020
【図１９】
2008515526.tif 000021
【図２０】
2008515526.tif 000022
【図２１】
2008515526.tif 000023
【図２２】
2008515526.tif 000024
【図２３】
2008515526.tif 000025
【図２４】
2008515526.tif 000026
【図２５】
2008515526.tif 000027
【図２６】
2008515526.tif 000028
【図２７】
2008515526.tif 000029
【図２８】
2008515526.tif 000030
【図２９】
2008515526.tif 000031
【図３０】
2008515526.tif 000032
【図３１】
2008515526.tif 000033
【図３２】
2008515526.tif 000034
【図３３】
2008515526.tif 000035
【図３４】
2008515526.tif 000036
【図３５】
2008515526.tif 000037
【図３６】
2008515526.tif 000038
【図３７】
2008515526.tif 000039
【図３８】
2008515526.tif 000040
【図３９】
2008515526.tif 000041
【図４０】
2008515526.tif 000042
【図４１】
2008515526.tif 000043
【図４２】
2008515526.tif 000044
【図４３】
2008515526.tif 000045
【図４４】
2008515526.tif 000046
【図４５】
2008515526.tif 000047
【図４６】
2008515526.tif 000048
【図４７】
2008515526.tif 000049
【図４８】
2008515526.tif 000050
【図４９】
2008515526.tif 000051
【国際調査報告】
2008515526.tif 000052
2008515526.tif 000053